(57)【要約】【課題】  不使用時に落下防止バーの取り外しや邪魔にならない場所への退避を可能とする。【課題を解決するための手段】  棚１の側板の内壁面に対し棚板４の前面側の左右端部から上方へ互いに対向させて装着可能な左側、右側バー支持具と、これらの間に着脱自在に水平に架設可能な落下防止バー６０を備える。バー６０の左右端部から軸方向外側へ突設された突設部は、首部と首部から直径方向へ延設された係止部を有する。バー支持具は、斜め上下方向に延設され、上方び棚１の左右方向中央向きに開口したガイド部を有し、軸を水平にしたバー６０の係止部を斜め縦向きにしてバー支持具のガイド部に開口から挿脱自在である。ガイド部の途中に、係止部を軸周りに回転自在な空間を備え、斜め横向きの係止部を係止する係止受け部の形成されたバー受け空間部を形成した。【選択図】      図１５
2020110458.tif 000002
【特許請求の範囲】
【請求項１】
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに上方及び棚の左右方向中央向きに開口するか、または上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具と右側バー支持具に左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴とする落下防止具。
【請求項２】
物品を載せる横板の端部に、上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに上方及び棚の左右方向中央向きに開口するか、または上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具と右側バー支持具に左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴とする落下防止具。
【請求項３】
落下防止バーは軸方向長さを調節自在な長さ調節部を備えたこと、
を特徴とする請求項１または２記載の落下防止具。
【発明の詳細な説明】
【技術分野】
【０００１】
本発明は落下防止具に係り、とくに地震の揺れで棚に入れた物品や、テーブルに載せた物品が落下するのを防止する落下防止具に関する。
【背景技術】
【０００２】
従来から、地震の揺れで棚から物品が落下するのを防止する落下防止具がある。例えば特開２０１４−１８６２８号にはオープン棚の左右の側板の前端面に左右一対のサイドレールを上下方向に配設し、これら左右一対のサイドレール間に上下スライド自在にスライドバーを架設した落下防止具が開示されている。この落下防止具は、サイドレールの下端が棚板より上方に位置しており、スライドバーが底板より上方位置に支持されることにより、棚板に載せられた物品が地震の揺れで前方へ飛び出るのを防止するようにしたものである。
【０００３】
けれども、上記した従来の落下防止具では、スライドバーの不使用時にサイドレールからスライドバーを取り外すことができず、棚の美観が損なわれる欠点がある。
【先行技術文献】
【特許文献】
【０００４】
【特許文献１】特開２０１４−１８６２８号公報
【発明の概要】
【発明が解決しようとする課題】
【０００５】
本発明は上記した従来技術の問題に鑑みなされたもので、不使用時に落下防止バーを取り外したり、邪魔にならない場所に退避したりできる落下防止具を提供することを、その目的とする。
【課題を解決するための手段】
【０００６】
請求項１記載の発明では、
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに上方及び棚の左右方向中央向きに開口するか、または上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具と右側バー支持具に左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴としている。
請求項２記載の発明では、
物品を載せる横板の端部に、上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに上方及び棚の左右方向中央向きに開口するか、または上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具と右側バー支持具に左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴としている。
請求項３記載の発明では、落下防止バーは軸方向長さを調節自在な長さ調節部を備えたこと、
を特徴としている。
【発明の効果】
【０００７】
本発明の一つによれば、棚の前端部近くの左右の側板の内壁面または前面に対し、物品を載せる棚板近くから上方へ互いに対向させて一対の左側バー支持具及び右側バー支持具を装着し、左側バー支持具と右側バー支持具に上下方向に設けられたガイド部の中に開口から落下防止バーの左右の突設部を縦向きまたは斜め縦向きにして挿入し、ガイド部の途中に形成されたバー受け空間部で突設部を横向きまたは斜め横向きにし、係止受け部に係止させることにより、棚の前端部近くの左右の側板の間で棚板より高い位置に落下防止バーを架設することができ、棚板の上に載った物品が地震で動いたときの落下を防止することができる。
また、左右のガイド部の下端部を係止受け部よりも下方へ延設し、落下防止バーを係止受け部よりも下方へ退避可能としたことにより、棚板から物品を出し入れする際に、落下防止バーが邪魔にならないようにできる。
また、本発明の他の一つによれば、物品を載せるテーブル、机等の横板の端部で横板より高い位置に落下防止バーを架設することができ、横板の上に載った物品が地震で動いたときの落下を防止することができる。
また、更に他の一つの発明によれば、左右のガイド部の下端部を係止受け部よりも下方へ延設し、落下防止バーを係止受け部よりも下方へ退避可能としたことにより、棚板から物品を出し入れする際に、落下防止バーが邪魔にならないようにできる。
【図面の簡単な説明】
【０００８】
【図１】図１は本発明に係る落下防止具付の棚の使用状態を示す一部省略した斜視図である（実施例１）。
【図２】図１中の左側バー支持具周りを拡大して示す一部省略した斜視図である。
【図３】図３の（１）は図２中の左側バー支持具の正面図、（２）は右側面図、（３）は平面図である。
【図４】図４の（１）は図２中の支持具本体の正面図、（２）は右側面図、（３）は平面図である。
【図５】図５の（１）は図２中のカバー板の正面図、（２）は右側面図、（３）は平面図である。
【図６】図２の左側バー支持具の組み立て図である。
【図７】図１中の右側バー支持具周りを拡大して示す一部省略した斜視図である。
【図８】図８の（１）は図７中の左側バー支持具の正面図、（２）は右側面図、（３）は平面図である。
【図９】図９の（１）は図７中の支持具本体の正面図、（２）は右側面図、（３）は平面図である。
【図１０】図１０の（１）は図７中のカバー板の正面図、（２）は右側面図、（３）は平面図である。
【図１１】図７の右側バー支持具の組み立て図である。
【図１２】図１中の落下防止バーの斜視図である。
【図１３】図１３の（１）は図１２中の左側の突設部の正面図、（２）は平面図、（３）は左側面図である。
【図１４】図１４の（１）は図１２中の右側の突設部の正面図、（２）は平面図、（３）は右側面図である。
【図１５】落下防止具の使用方法の説明図である。
【図１６】落下防止具の使用方法の説明図である。
【図１７】落下防止具の使用方法の説明図である。
【図１８】落下防止具の使用方法の説明図である。
【図１９】落下防止具の使用方法の説明図である。
【図２０】落下防止具の使用方法の説明図である。
【図２１】落下防止具の使用方法の説明図である。
【図２２】落下防止具の使用方法の説明図である。
【図２３】落下防止バーの変形例の説明図である。
【図２４】落下防止バーの取付方法の説明図である。
【図２５】落下防止バーの取付方法の説明図である。
【図２６】落下防止具の他の使用方法の説明図である。
【発明を実施するための最良の形態】
【０００９】
以下、本発明の最良の形態を実施例に基づき説明する。
【実施例１】
【００１０】
図１乃至図１４を参照して本発明の一実施例を説明する。図１は本発明に係る落下防止具付の棚の使用状態を示す一部省略した斜視図、図２は図１中の左側バー支持具を拡大して示す外観斜視図、図３の（１）は図２の左側バー支持具の正面図、（２）は右側面図、（３）は平面図、図４の（１）は図３中の支持具本体の正面図、（２）は右側面図、（３）は平面図、図５の（１）は図３中のカバー板の正面図、（２）は右側面図、（３）は平面図、図６は図２の組み立て図、図７は図１中の右側バー支持具を拡大して示す外観斜視図、図８の（１）は図７の右側バー支持具の正面図、（２）は右側面図、（３）は平面図、図９（１）は図８中の支持具本体の正面図、（２）は左側面図、（３）は平面図、図１０の（１）は図８中のカバー板の正面図、（２）は左側面図、（３）は平面図、図１１は図７の組み立て図、図１２は図１中の落下防止バーの一部省略した外観斜視図、図１３の（１）は図１２中の左側の突設部の正面図、（２）は平面図、（３）は側面図、図１４の（１）は図１２中の右側の突設部の正面図、（２）は平面図、（３）は側面図である。
【００１１】
図１において、１はオープン棚であり、左右の側板２、３の間の上下に、水平に配設された複数の棚板４、５、・・が固着されている。棚板４の前端面４ａは側板２、３の前端面２ａ、３ａより少し後方に退避している。側板２、３の内壁面２ｂ、３ｂの前端近くで、棚板４の前端の左右端部から上方に向けて左右一対の左側バー支持具１０、右側バー支持具４０が左右対称かつ互い対向して装着されており、これらの左側バー支持具１０、右側バー支持具４０の間に落下防止バー６０が架け渡されている。左側バー支持具１０、右側バー支持具４０と落下防止バー６０により、本発明に係る落下防止具が構成されている。
【００１２】
左側バー支持具１０は図２、図３の如く構成されている。この内、１１はプラスチック製で下部が段差の有る鉤状、上部が三角山状に形成された箱形の支持具本体であり、図４に示す如く斜め上後方と右方に開口し、下端側から最初はまっすぐ上方に延設されたあと、次にへの字状に折曲されて斜め上後方に延設されたガイド溝１２と、ガイド溝１２の斜め上後方の開口１３の近くに設けられた断面が釣鐘形のバー受け空間部１５と、図４（２）におけるガイド溝１２の周囲３箇所設けられたネジ孔１８を備えている。
【００１３】
ガイド溝１２の内、開口１３からバー受け空間部１５までの溝幅は狭いｗ、バー受け空間部１５の出口１５ａから傾斜通路部１２Ａの途中までは溝幅がｗの１．０倍から１．４倍程度の範囲で徐々に広くなったあと、垂直通路部１２Ｂの上端までｗの１．４倍程度の一定幅に形成されており、垂直通路部１２Ｂの溝幅はｗの１．４乃至１．２倍程度の一定幅に形成されている。バー受け空間部１５の溝方向の高さＨはｗより３倍近くの大きさに形成されている。また、バー受け空間部１５の溝方向に見た上部側の約１／３の断面が半径Ｗ／２の円弧に沿って形成されている。ガイド溝１２は開口１３からバー受け空間部１５の出口１５ａまで、バー受け空間部１５の線対称な釣鐘形を頂点側から対称線に沿って斜め上下方向に貫通するように形成されている。バー受け空間部１５の出口１５ａを過ぎたあとは、傾斜通路部１２Ａと続く垂直通路部１２Ｂによりヘの字状に折り曲げられて支持具本体１１の下端近くまで延設されている。
ガイド溝１２とバー受け空間部１５は支持具本体１１の右側面１１ｂの側に開口している。ガイド溝１２とバー受け空間部１５の深さＥは同一であり、ｗより少し大きく形成されている。支持具本体１１の下端部の背面側には段差部１９が形成されており、棚板４の左側前端部の上隅に嵌合可能となっている。
【００１４】
図２、図３の内、２０はプラスチック製で下部が段差の有る鉤状、上部が三角山状に形成されたカバー板であり、図５に示す如く、斜め上後方に開口し、斜め上下方向に延設されるとともに下部が下向きにへの字状に折曲したガイドスリット２１と、ガイドスリット２１の周辺３箇所に配設されたネジ孔２２を備えている。各ネジ孔２２は支持具本体１１のネジ孔１８に対応する箇所に設けられている。カバー板２０の背面側の下端部には段差部２５が形成されており、棚板４の前端部の上隅に嵌合可能となっている。段差部２５は支持具本体１１の段差部１９と同形に形成されている。
【００１５】
ガイドスリット２１は図３の支持具本体１１のガイド溝１２と同様の方向に折曲されて形成されており、上端近くの少し後ろの開口２３を起点とした傾斜スリット部２１Ａと続く垂直スリット部２１Ｂによりヘの字状に折り曲げされてカバー板２０の下端近くまで延設されている。傾斜スリッ部２１Ａは、側面的に見て上端の開口２３がガイド溝１２の開口１３と一致し、ガイド溝１２の開口１３から傾斜通路部１２Ａの下端までと重なっている。垂直スリット部２１Ｂは、ガイド溝１２の垂直通路部１２Ｂと重なっている（図２参照）。但し、ガイドスリット２１の下端は支持具本体１１のガイド溝１２の下端より少し上に位置している。
支持具本体１１のガイド溝１２とカバー板２０のガイドスリット２１によりガイド部２６が構成されている。ガイド部２６はガイド溝１２の上端の開口１３とガイドスリット２１の上端の開口２３により、上方に開口している。また、ガイドスリット２１によりオープン棚１の左右方向中央向きに開口している。
【００１６】
図６は左側バー支持具１０の組み立て方法の説明図であり、支持具本体１１の左側面１１ｃを側板２の内壁面２ｂに当てるとともに段差部１９を棚板４の左端部の上隅に嵌め、支持具本体１１の右側面１１ｂにカバー板２０をネジ孔１８と２２が合うように重ね、３本のネジ２７をネジ孔２２に通したあとネジ孔１８に螺合しながら棚１の側板２の内壁面２ｂに着脱自在に螺着させてある。
【００１７】
右側バー支持具４０は図７、図８の如く構成されている。この内、４１はプラスチック製で下部が段差の有る鉤状、上部が三角山状に形成された箱形の支持具本体であり、図９に示す如く、斜め上後方と右方に開口し、下端側から最初はまっすぐ上方に延設されたあと、次にへの字状に折曲されて斜め上後方に延設されたガイド溝４２と、ガイド溝４２の斜め上後方の開口４３の近くに設けられた断面が釣鐘形のバー受け空間部１５と、図９（２）におけるガイド溝４２の周囲３箇所設けられたネジ孔４８を備えている。
【００１８】
ガイド溝４２の内、開口４３からバー受け空間部４５までの溝幅は狭いｗ、バー受け空間部４５の出口４５ａから傾斜通路部４２Ａの途中までは溝幅がｗの１．０倍から１．４倍程度の範囲で徐々に広くなったあと、垂直通路部４２Ｂの上端までｗの１．４倍程度の一定幅に形成されており、垂直通路部４２Ｂの溝幅はｗの１．４乃至１．２倍程度の一定幅に形成されている。バー受け空間部４５の溝方向の高さＨはｗより３倍近くの大きさに形成されている。また、バー受け空間部４５の溝方向に見た上部側の約１／３の断面が半径Ｗ／２の円弧に沿って形成されている。ガイド溝４２は開口４３からバー受け空間部４５の出口４５ａまで、バー受け空間部４５の線対称な釣鐘形を頂点側から対称線に沿って斜め上下方向に貫通するように形成されている。バー受け空間部４５の出口４５ａを過ぎたあとは、傾斜通路部４２Ａと続く垂直通路部４２Ｂによりヘの字状に折り曲げられて支持具本体４１の下端近くまで延設されている。
ガイド溝４２とバー受け空間部４５は支持具本体１１の左側面４１ｂの側に開口している。ガイド溝４２とバー受け空間部４５の深さＥは同一であり、ｗより少し大きく形成されている。支持具本体４１の下端部の背面側には段差部４９が形成されており、棚板４の右側前端部の上隅に嵌合可能となっている。
【００１９】
図７、図８の内、５０はプラスチック製で下部が段差の有る鉤状、上部が三角山状に形成されたカバー板であり、図１０に示す如く、斜め上後方に開口し、斜め上下方向に延設されるとともに下部が下向きにへの字状に折曲したガイドスリット５１と、ガイドスリット５１の周辺３箇所に配設されたネジ孔５２を備えている。各ネジ孔５２は支持具本体４１のネジ孔４８に対応する箇所に設けられている。カバー板５０の背面側の下端部には段差部５５が形成されており、棚板４の前端部の上隅に嵌合可能となっている。段差部５５は支持具本体４１の段差部４９と同形に形成されている。
【００２０】
ガイドスリット５１は図９の支持具本体４１のガイド溝４２と同様の方向に折曲されて形成されており、上端近くの少し後ろの開口５３を起点とした傾斜スリット部５１Ａと続く垂直スリット部５１Ｂによりヘの字状に折り曲げされてカバー板５０の下端近くまで延設されている。傾斜スリッ部５１Ａは、側面的に見て上端の開口５３がガイド溝４２の開口４３と一致し、ガイド溝４２の開口４３から傾斜通路部４２Ａの下端までと重なっている。垂直スリット部５１Ｂは、ガイド溝４２の垂直通路部４２Ｂと重なっている（図８参照）。但し、ガイドスリット５１の下端は支持具本体４１のガイド溝４２の下端より少し上に位置している。
支持具本体４１のガイド溝４２とカバー板５０のガイドスリット５１によりガイド部５６が構成されている。ガイド部５６はガイド溝４２の上端の開口４３とガイドスリット５１の上端の開口５３により、上方に開口している。また、ガイドスリット５１によりオープン棚１の左右方向中央向きに開口している。
【００２１】
図１１は右側バー支持具４０の組み立て方法の説明図であり、支持具本体４１の右側面４１ｃを側板３の内壁面３ｂに当てるとともに段差部４９を棚板４の右端部の上隅に嵌め、支持具本体４１の左側面４１ｂにカバー板５０をネジ孔４８と５２が合うように重ね、３本のネジ２７をネジ孔５２に通したあとネジ孔４８に螺合しながら棚１の側板３の内壁面３ｂに着脱自在に螺着させてある。
【００２２】
図１中の落下防止バー６０は図１２に示す如く、アルミ、スチールなどの金属製パイプの表面をプラチック膜で被覆した外筒６１と、外筒６１の内部に挿脱可能でアルミ、スチールなどの金属製パイプの表面をプラスチック膜で被覆した内棒６２から成る。外筒６２の軸方向の間隔を空けた３箇所にはネジ穴６３が穿設されており、所望の一つに外側から止めネジ６４を挿入して内棒６２に螺合し、外筒６１と内棒６２を固定することにより、落下防止バー６０を所望長さに調節可能となっている。
外筒６１の左端側の閉鎖端部には平面視がＴ字状のプラスチック製の突設部７０、内棒６２の右端側の閉鎖端部には平面視がＴ字状のプラスチック製の突設部８０が固着されている。突設部７０と８０は左右対称に形成されている。左側の突設部７０は外筒６１の外側の中心から軸方向外側へ突設された円柱状の首部７３、首部７３の先端から軸方向と直角を成す直径方向へ突設された角柱状の係止部７４から成る。
【００２３】
外筒６１の外径Ｃ１はガイド溝１２、ガイドスリット２２の開口１３、２３の幅ｗより大きく形成されており、首部７３の外径Ｃ２はｗより小さく、軸方向の長さＤ１はカバー板２０の厚さｄ１（図５（１）参照）より少しだけ長く形成されている。係止部７４は首部７３の軸心から見て半径方向へＬの長さを有し、２Ｌはｗより遥かに大きく、Ｗより少し小さい大きさに形成されている。また、係止部７４の軸方向の長さＤ２はガイド溝１２、バー受け空間部１５の深さＥ（図４（１）参照）より短く形成されている。また係止部７４の高さｈは首部７３の外径Ｃ２と同一に形成されている。係止部７４は左側の支持具本体１１のバー受け空間部１５の中で、軸回りに回転自在になっている。
【００２４】
右側の突設部８０は左側の突設部７０と同形に形成されており、図１４に示す如く内棒６２の外側の中心から軸方向外側へ突設された円柱状の首部８３、首部８３の先端から軸方向と直角を成す直径方向へ突設された角柱状の係止部８４から成る。
内棒の外径Ｃ３はガイド溝４２、ガイドスリット５１の開口４３、５３の幅ｗより大きく形成されており、首部８３の外径Ｃ２はｗより小さく、軸方向の長さＤ１はカバー板５０の厚さｄ１（図１０（１）参照）より少しだけ長く形成されている。係止部８４は首部８３の軸心から見て半径方向へＬの長さを有し、２Ｌはｗより遥かに大きく、Ｗより少し小さい大きさに形成されている。また、係止部８４の軸方向の長さＤ２はガイド溝４２、バー受け空間部４５の深さＥ（図９（１）参照）より短く形成されている。また係止部８４の高さｈは首部８３の外径Ｃ２と同一に形成されている。係止部８４は右側の支持具本体４１のバー受け空間部４５の中で、軸回りに回転自在になっている。
左側バー支持具１０、右側バー支持具４０、落下防止バー６０により落下防止具が構成されている。
【００２５】
次に、図１、図１５乃至図２２を参照して上記の如く構成された落下防止具の使用方法を説明する。
なお、予め、オープン棚１の棚板４の前端の左側端部の上隅に段差部１９、２５が嵌るようにして、３本の止めネジ２７により左側バー支持具１０が左側の側板２の内壁面２ｂに装着されており、棚板４の前端の右側端部の上隅に段差部４９、５５が嵌るようにして、３本の止めネジ５７により右側バー支持具４０が右側の側板３の内壁面３ｂに装着されているものとする。また、落下防止バー６０の長さは、水平にしたときの左右の突設部７０、８０の首部７３、８３が左側バー支持具１０のカバー板２０の厚み部分と右側バー支持具４０のカバー板５０の厚み部分に来て、首部７３、８３をガイドスリット２１、５１に挿脱自在となる長さに調節済みであるとする。
【００２６】
棚板４の上に載せた物品９０、９１、・・が地震で棚板４から落下しないようにしたい場合、ユーザは落下防止バー６０を手に持って水平かつ左右の係止部７０、８０の突設部７２、８２を斜め縦向き（ここでは斜め後ろ縦向き）にし、左側バー支持具１０、右側バー支持具４０の斜め上後方から斜め下前方へ移動し、左側の係止部７４を左側の支持具本体１１の開口１３からガイド溝１２に入れ、首部７３をカバー板２０の開口２３からガイドスリット２１に入れ、右側の係止部８４を右側の支持具本体４１の開口４３からガイド溝４２に入れ、首部８３をカバー板５０の開口５３からガイドスリット５１に入れる（図１５の矢印Ａ、図２０（１）の矢印Ａ参照）。
【００２７】
そして、左側の係止部７４がバー受け空間部１５に入り（図１６、図２０（２）参照）、右側の係止部８４がバー受け空間部４５に入ったところで、落下防止バー６０を軸周りに９０度回転させて係止部７４、８４を斜め横向き（ここでは斜め後ろ横向き）とし（図１７、図２０（３）参照）、バー受け空間部１５の底の係止受け部１５ｂに係止部７４を載せ（図１８、図２１（１）参照）、バー受け空間部４５の底の係止受け部４５ｂの底に係止部８４を載せ、手を離す。すると、左側バー支持具１０、右側バー支持具４０の間で、棚板４から上方に離れた位置に落下防止バー６０が水平に架設された状態となるので（図１参照）、地震でオープン棚１が揺れて棚板４の上で背の高い物品９０、９１、・・が動いても高い位置に在る落下防止バー６０に当たるため、確実に落下防止が図られる。
【００２８】
地震の揺れや、物品９０、９１、・・の衝突で落下防止バー６０が上下左右に動いても、係止部７４がバー受け空間部１５の内側壁１５ｃ、１５ｄやカバー板２０に当たったり、係止部８４がバー受け空間部４５の内側壁４５ｃ、４５ｄやカバー板５０に当たったりして、落下防止バー６０が左側バー支持具１０、右側バー支持具４０から外れることは無い。
【００２９】
なお、棚板４から外部に物品９０、９１、・・を取り出したい場合、落下防止バー６０を持ち、軸周りに９０度回転させて係止部７４、８４を斜め縦向きとし（図１６、図２０（３）参照）、係止部７４をバー受け空間部１５、４５の出口１５ａ、４５ａからガイド溝１２、４２の傾斜通路部１２Ａ、４２Ａに入れる（図２１（２）参照）。そして、ガイド溝１２、４２の傾斜通路部１２Ａ、４２Ａを通って垂直通路部１２Ｂ、４２Ｂの上端部近くまで移動し、この間に係止部７４、８４の向きを垂直近くに変え（図１７、図１８、図２１（３）、図２２（１）参照）、垂直通路部１２Ｂ、４２Ｂの底１２ｂ、４２ｂまで移動させて手を離すことで、棚板４の前端面４ａの位置まで下げて退避状態とする（図１９、図２２（２）参照）。これにより、落下防止バー６０に邪魔されることなく、棚板４に載った物品９０、９１、・・を外部に取り出したり、外部から物品を棚板４の上に入れたりすることができる。
【００３０】
また、落下防止バー６０を使用しないときは、係止部７４、８４を斜め縦向きにし、ガイド部２６、５６の中を突設部７０、８０を斜め後ろ上方へ移動させて開口１３と２３、４３と５３から上方へ抜けば良い。
【００３１】
この実施例によれば、オープン棚１の前端部近くの左右の側板２、３の内壁面２ｂ、３ｂに対し、物品９０、９１、・・を載せる棚板４の左右端部から上方へ互いに対向させて着脱自在に一対の左側バー支持具１０及び右側バー支持具４０を装着し、左側バー支持具１０と右側バー支持具４０に上下方向に設けられたガイド部２６、５６の中に落下防止バー６０の左右の突設部７０、８０を斜め縦向きにして挿入し、ガイド部２６、５６の途中に形成されたバー受け空間部１５と４５で係止部７２、８２を斜め横向きにし、係止受け部１５ｂと４５ｂに係止させることにより、オープン棚１の前端部近くの左右の側板２、３の間で棚板４より高い位置に落下防止バー６０を水平に架設することができ、棚板４の上に載った物品９０、９１、・・が地震で動いたときの落下を防止することができる。
また、ガイド部２６、５６が斜め上方に開口しているので、落下防止バー６０をオープン棚１から簡単に取り外すことができる。
また、左右のガイド部２６、５６の下端部を係止受け部１５ｂ、４５ｂよりも下方へ延設し、落下防止バー６０を係止受け部１５、４５よりも下方の棚板４の前面４ａの位置に退避可能としたことにより、棚板４から物品９０、９１、・・を出し入れする際に、落下防止バー６０が邪魔にならないようにできる。
【００３２】
なお、上記した実施例では、左側バー支持具と右側バー支持具を３本のネジ２７によりオープン棚の左右の側板２、３の内壁面に装着する場合を例に挙げて説明したが、本発明は何らこれに限定されるものでなく、支持具本体１１の左側面を両面接着テープで側板２の内壁面２ｂに装着し、支持具本体４１の右側面を両面接着テープで側板３の内壁面３ｂに装着するようにしても良い。この場合、この場合、図６中のネジ２７はカバー板２０を支持具本体１１にネジ止め可能な長さにすれば良く、同様に、図１１中のネジ５７はカバー板５０を支持具本体４１にネジ止め可能な長さにすれば良い。
また、落下防止バーを長さ調節可能な構成としたが、固定した長さとしても良い。
また、図２３の落下防止バー６０Ａに示す如く、全体を板状とし、左右端部に突設部７０、８０を形成するようにしても良い。
また、落下防止バーの両端に設けた突設部を落下防止バーの軸方向外側へ延設された首部と、首部の先端から直径方向へ延設された係止部とから成る略Ｔ字状に形成したが、首部と首部の先端から半径方向へ延設された係止部とからなる略Ｌ字状に形成しても良い。
左右両端の突設部の内、一方を略Ｔ字状、他方を略Ｌ字状としても良い。
【００３３】
また、上記した実施例では、落下防止バー６０を左側バー支持具１０の上端の開口１３、２３と右側バー支持具４０の上端の開口４３、５３を通してガイド部２６、５６の中に挿脱する場合につき説明したが、本発明は何らこれに限定されず、ガイド部２６、５６の内、オープン棚１の左右方向中央向きの開口であるガイドスリット２１、４１を通してガイド部２６、５６に挿脱するようにしても良い。
具体的には落下防止バー６０を左側バー支持具１０、右側バー支持具４０にセットする際、例えば図２４に示す如く、正面から見て斜めに傾けた落下防止バー６０の左右端部の係止部７４、８４を縦向きとし、右側の係止部８４を右側バー支持具４０のガイドスリット４１の下端近くからガイド部５６の下端部に挿入する（図２４の矢印Ｘ参照）。続いて、落下防止バー６０を水平にしながら左側の係止部７４を左側バー支持具１０のガイドスリット２１の下端近くからガイド部２６の下端部に挿入する（図２５の矢印Ｙ参照）。落下防止バー６０を左側バー支持具１０、右側バー支持具４０から外す際は逆の手順で行えば良い。
【００３４】
図２４、図２５に示すように落下防止バー６０を、左側バー支持具１０、右側バー支持具４０に設けられた左右方向中央向きの開口であるガイドスリット２１、４１を通してガイド部２６、５６に挿脱自在に挿入可能なので、左側バー支持具１０の上端の開口１３、２３と右側バー支持具４０の上端の開口４３、５３を省略し、閉塞することもできる。
【００３５】
また、上記した実施例ではオープン棚１に落下防止具を装備する場合を例に挙げて説明したが、本発明は何らこれに限定されるものでなく、図２６に示す如く、机の天板やテーブルなどの物品を載せる横板１００の端部に間隔を離して、左側バー支持具１０と右側バー支持具４０の段差部２５、５５を両面接着テープ等で装着することにより、横板１００からの物品の落下防止を図るようにしても良い。
また、上記した実施例では、垂直通路部より上のガイド部、ガイド溝、ガイドスリット、バー受け空間部を斜め上下方向に傾斜させて設けたが、これらを鉛直向きに設けるようにし、突設部の係止部を縦向きにして開口からガイド部の中に挿脱自在とし、バー受け空間部内で突設部の係止部を横向きにして底の係止受け部に載せたとき、ガイド部から突設部を挿脱不能となるようにしても良い。
【産業上の利用可能性】
【００３６】
本発明は、本棚、食器棚などの前面が開口した棚、机、テーブルなどに適用可能である。
【符号の説明】
【００３７】
１  オープン棚
２、３  側板
２ｂ、３ｂ  側壁面
４  棚板
１０  左側バー支持具
１１、４１  支持具本体
１２、４２  ガイド溝
１３、２３、４３、５３  開口
１５、４５  バー受け空間部
１５ｂ、４５ｂ  係止受け部
２０、５０  カバー板
２１、５１  ガイドスリット
２６、５６  ガイド部
４０  右側バー支持具
６０  落下防止バー
７０、８０  突設部
７４、８４  係止部
【図１】
2020110458.tif 000003
【図２】
2020110458.tif 000004
【図３】
2020110458.tif 000005
【図４】
2020110458.tif 000006
【図５】
2020110458.tif 000007
【図６】
2020110458.tif 000008
【図７】
2020110458.tif 000009
【図８】
2020110458.tif 000010
【図９】
2020110458.tif 000011
【図１０】
2020110458.tif 000012
【図１１】
2020110458.tif 000013
【図１２】
2020110458.tif 000014
【図１３】
2020110458.tif 000015
【図１４】
2020110458.tif 000016
【図１５】
2020110458.tif 000017
【図１６】
2020110458.tif 000018
【図１７】
2020110458.tif 000019
【図１８】
2020110458.tif 000020
【図１９】
2020110458.tif 000021
【図２０】
2020110458.tif 000022
【図２１】
2020110458.tif 000023
【図２２】
2020110458.tif 000024
【図２３】
2020110458.tif 000025
【図２４】
2020110458.tif 000026
【図２５】
2020110458.tif 000027
【図２６】
2020110458.tif 000028
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具の上下方向または斜め上下方向に延設されたガイド部の途中の開口内部と右側バー支持具のガイド部の上下方向または斜め上下方向に延設されたガイド部の途中の開口内部とに左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴とする落下防止具。
【請求項２】
物品を載せる横板の端部に、上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具の上下方向または斜め上下方向に延設されたガイド部の途中の開口内部と右側バー支持具の上下方向または斜め上下方向に延設されたガイド部の途中の開口内部とに左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴とする落下防止具。
【請求項３】
ガイド部は上方及び棚の左右方向中央向きに開口すること、
を特徴とする請求項１または２記載の落下防止具。
【手続補正２】
【補正対象書類名】明細書
【補正対象項目名】０００６
【補正方法】変更
【補正の内容】
【０００６】
請求項１記載の発明では、
棚の前端部近くの左右の側板の内壁面または前面に対し、物品を載せる棚板近くから上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具の上下方向または斜め上下方向に延設されたガイド部の途中の開口内部と右側バー支持具の上下方向または斜め上下方向に延設されたガイド部の途中の開口内部とに左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴としている。
請求項２記載の発明では、
物品を載せる横板の端部に、上方へ互いに対向させて装着可能な一対の左側バー支持具及び右側バー支持具と、
一対の左側バー支持具と右側バー支持具の間に着脱自在に水平に架設可能な落下防止バーとを備え、
落下防止バーは左右端部から軸方向外側へ突設されるとともに左右対称に形成された突設部を備え、各突設部は落下防止バーの軸方向外側へ延設された首部と、首部の先端から半径方向または直径方向へ延設された係止部とを有し、
左側バー支持具と右側バー支持具は、上下方向または斜め上下方向に延設されるとともに棚の左右方向中央向きに開口したガイド部を有し、落下防止バーの左右の係止部を縦向きまたは斜め縦向きにした状態で開口を通して左側バー支持具と右側バー支持具のガイド部内に挿脱自在に挿入可能に形成されるとともに、左右の係止部を横向きまたは斜め横向きにした状態では開口を通した挿脱が不能に形成されており、
左側バー支持具の上下方向または斜め上下方向に延設されたガイド部の途中の開口内部と右側バー支持具の上下方向または斜め上下方向に延設されたガイド部の途中の開口内部とに左右対称に、係止部を縦向きまたは斜め縦向きと、横向きまたは斜め横向きの間で軸周りに回転自在な空間を備えるとともに、横向きまたは斜め横向きの係止部を係止可能な係止受け部の形成されたバー受け空間部を形成し、
左右のガイド部の下端部を係止受け部よりも下方へ延設し、落下防止バーを係止受け部よりも下方へ退避可能としたこと、
を特徴としている。
請求項３記載の発明では、
ガイド部は上方及び棚の左右方向中央向きに開口するようにしたこと、
を特徴としている。
【手続補正３】
【補正対象書類名】明細書
【補正対象項目名】０００７
【補正方法】変更
【補正の内容】
【０００７】
本発明の一つによれば、棚の前端部近くの左右の側板の内壁面または前面に対し、物品を載せる棚板近くから上方へ互いに対向させて一対の左側バー支持具及び右側バー支持具を装着し、左側バー支持具と右側バー支持具に上下方向に設けられたガイド部の中に開口から落下防止バーの左右の突設部を縦向きまたは斜め縦向きにして挿入し、ガイド部の途中に形成されたバー受け空間部で突設部を横向きまたは斜め横向きにし、係止受け部に係止させることにより、棚の前端部近くの左右の側板の間で棚板より高い位置に落下防止バーを架設することができ、棚板の上に載った物品が地震で動いたときの落下を防止することができる。
また、左右のガイド部の下端部を係止受け部よりも下方へ延設し、落下防止バーを係止受け部よりも下方へ退避可能としたことにより、棚板から物品を出し入れする際に、落下防止バーが邪魔にならないようにできる。
また、本発明の他の一つによれば、物品を載せるテーブル、机等の横板の端部で横板より高い位置に落下防止バーを架設することができ、横板の上に載った物品が地震で動いたときの落下を防止することができる。